【手続補正書】
【提出日】平成17年11月25日(2005.11.25)
【手続補正１】
【補正対象書類名】特許請求の範囲
【補正対象項目名】全文
【補正方法】変更
【補正の内容】
【特許請求の範囲】
【請求項１】
それぞれ第１基地局（１０１、５０１）と第２基地局（１２１、５１１）に付随しており、ある共通の地理的エリア（１２０、５０４）において少なくとも部分的に重なり合い同期される第１セル（１００、５００）と第２セル（１２０、５１０）とを含む複数のセルを備えるセルラー通信ネットワークにおいて端末（１２３）を同期させる方法であって、
前記端末が前記共通の地理的エリア内に存在するとき、
前記第１基地局によって送信され前記端末によって受信される同期信号（ＳＣＨ４００、６００）との第１同期ステップと、
前記第２基地局によって送信され前記端末によって受信され、マルチパスの処理に用いられる所定の信号（ＣＰＩＣＨ４０６、６１１）についての第２同期ステップと
を含むことを特徴とする同期方法。
【請求項２】
前記第２基地局によって送信された前記所定の信号に対応する少なくとも１つのパスを特定するステップであって、前記第２同期ステップを提供して、該所定の信号を通過させているマルチパスを解析することによって行なわれるパス特定ステップを、前記端末が実行し、該所定の信号に対応する１つのパスまたは複数のパスの１つが第１パスと称されて同期のベースとみなされることを特徴とする請求項１に記載の同期方法。
【請求項３】
前記第１同期ステップにおいては、前記第２基地局に対して５乃至５０μ秒程度の同期誤差が許容されることを特徴とする請求項１または２に記載の同期方法。
【請求項４】
前記第１同期ステップにおいては、前記第２基地局に対して５乃至３０μ秒程度の同期誤差が許容されることを特徴とする請求項３に記載の同期方法。
【請求項５】
前記第２同期ステップにおいては、前記第２基地局に対して５μ秒未満の同期誤差が許容されることを特徴とする請求項１乃至４のいずれかに記載の同期方法。
【請求項６】
前記第１基地局が前記第２基地局に同期情報を送信して、該第２基地局が該第１基地局と同期することを可能にすることを特徴とする請求項１乃至５のいずれかに記載の同期方法。
【請求項７】
前記同期情報が有線リンクで伝送されることを特徴とする請求項６に記載の同期方法。
【請求項８】
前記第１基地局によって送信される前記同期信号を介して前記同期情報が伝送されることを特徴とする請求項６に記載の同期方法。
【請求項９】
第３の装置が前記第１基地局と前記第２基地局とに同期情報を送信して、該第２基地局が該第１基地局に同期することを可能にする請求項１乃至５のいずれかに記載の同期方法。
【請求項１０】
それぞれ第１基地局（１０１、５０１）と第２基地局（１２１、５１１）に付随しており、ある共通の地理的エリア（１２０、５０４）において少なくとも部分的に重なり合い同期される第１セル（１００、５００）と第２セル（１２０、５１０）とを含む複数のセルを備えるセルラ通信ネットワークにおいて端末（１２３）のハンドオーバを処理する方法であって、
前記端末は、該端末と遠隔の端末との間の通信がセットアップされたときには通信モードにあることが可能であり、また通信モードになくても前記ネットワークセルの１つにおいて通信が可能な状態で存在するときには待機モードにあるものであり、
前記端末が前記共通のエリア内に存在し、前記第１基地局と通信モードにある前記端末が前記第１セルから前記第２セルに切り替えられるとき、
前記第１基地局によって送信され前記端末によって受信される同期信号（ＳＣＨ４００、６００））との第１同期ステップと、
前記第２基地局によって送信され前記端末によって受信されるマルチパスの処理に用いられる所定の信号（ＣＰＩＣＨ４０６、６１１）についての第２同期ステップと
を含むことを特徴とするハンドオーバー方法。
【請求項１１】
請求項１乃至９のいずれかに記載された同期方法を使用することを特徴とする請求項１０に記載のハンドオーバー方法。
【請求項１２】
前記第１セルは前記第２セルを取り囲んでおり、前記第１基地局が前記第１セル内に存在する端末の前記待機モードを管理し、前記第２基地局が前記通信モードを管理することが可能であることを特徴とする請求項１０または１１に記載のハンドオーバー方法。
【請求項１３】
前記第１基地局が前記第２セル内に存在する前記端末の通信の開始を管理し、続いて前記セルラー通信ネットワークが前記通信の管理を前記第２基地局に切り替えることを特徴とする請求項１２に記載のハンドオーバー方法。
【請求項１４】
それぞれ第１基地局と第２基地局とに付随しており、少なくとも部分的に重なり合い同期される第１セルと第２セルとを含むセルラー通信ネットワーク内において少なくとも前記第１基地局と協働する端末であって、当該端末と遠隔の端末との間の通信がセットアップされたときには通信モードにあることが可能であり、また通信モードになくても前記ネットワークセルの１つにおいて通信が可能な状態で存在するときに待機モードにあるものであり、
前記第１基地局によって送信され当該端末によって受信される同期信号（ＳＣＨ）についての第１の同期を図る第１同期手段と、
前記第２基地局によって送信され当該端末によって受信されるマルチパスの処理に用いられる所定の信号（ＣＰＩＣＨ）についての第２の同期を図る第２同期手段と
を具備することを特徴とする端末。
【請求項１５】
前記所定の信号がたどるマルチパスを解析する手段であって前記第２基地局によって送信される該所定の信号に対応する少なくとも１つのパスを特定することが可能な手段を前記同期手段が含んでおり、該所定の信号に対応する１つのパスまたは複数のパスの１つは第１パスと称され同期のベースとみなされることを特徴とする請求項１４に記載の端末。
【請求項１６】
前記第１の同期では、５乃至５０μ秒程度の同期誤差が許容されることを特徴とする請求項１４または１５に記載の端末。
【請求項１７】
前記第１の同期では、５乃至３０μ秒程度の同期誤差が許容されることを特徴とする請求項１６に記載の端末。
【請求項１８】
前記第２の同期では、５μ秒未満の同期誤差が許容されることを特徴とする請求項１６乃至１９のいずれかに記載の端末。
【請求項１９】
第２基地局と称され、セルラー通信ネットワークにおいて第２セルに付随することになる基地局であって、該ネットワークは、第１基地局と少なくとも１つの端末とに付随する第１セルを含む複数のセルを備えており、前記第１セルと前記第２のセルとはある共通の地理的エリアにおいて少なくとも部分的に重なり合うものであり、
前記第１基地局によって送信されその端末によって受信される同期信号（ＳＣＨ）についての第１同期ステップと、
前記第２基地局によって送信されその端末によって受信されるマルチパスの処理に用いられる所定の信号（ＣＰＩＣＨ）についての第２同期ステップと
を前記端末の少なくとも１つが実行することができるようになされている前記第１基地局との同期手段を具備することを特徴とする基地局。
【請求項２０】
前記端末の通信モードを管理する手段を具備するが、該端末の待機モードを管理する手段は含まない前記第２基地局であって、
前記端末は、該端末と遠隔の端末との間の通信がセットアップされたときには通信モードにあることが可能であり、また通信モードになく、前記ネットワークセルの１つにおいて通信が可能な状態で存在するときには待機モードにあるものであることを特徴とする請求項１９に記載の基地局。
【請求項２１】
第１基地局に付随する第１セルと少なくとも１つの第２セルとを含む複数のセルを備え、前記第１セルと前記少なくとも１つの第２セルの各セルとはある共通の地理的エリアにおいて少なくとも部分的にそれぞれ互いに重なり合い同期されるようにされているセルラー通信ネットワークであって、
前記少なくとも１つの第２セルの各セルが請求項１９または２０に記載された少なくとも１つの第２基地局に付随することを特徴とするセルラー通信ネットワーク。